【手続補正書】
【提出日】平成15年8月14日(2003.8.14)
【手続補正１】
【補正対象書類名】明細書
【補正対象項目名】特許請求の範囲
【補正方法】変更
【補正の内容】
【特許請求の範囲】
【請求項１】
ポリアミドセグメントＡおよびエチレンオキシド基含有ポリアミドセグメントＢからなるコポリエーテルアミドであって、ポリアミドセグメントＡが、次式（Ｉ）：
【化１】
1997118750.tif 000001
および／または次式(II)：
【化２】
1997118750.tif 000002
（上記式中、Ｒ1 は、置換されていてもいなくてもよい、３〜11個の炭素原子を有するアルキレン基を意味し、Ｒ2 およびＲ3 は同じでも異なっていてもよく、置換されていてもいなくてもよい、４〜11個の炭素原子を有する（シクロ）アルキレン基または２価の芳香族基を表す）
から成るモノマー単位を含み、ポリアミドセグメントＢが、次の構造(III) ：
【化３】
1997118750.tif 000003
（上記式中、Ｇは、先の式に従うポリアミドセグメントＡに含まれる１以上のラクタム単位を介してまたは介しないでジカルボン酸単位と結合した、ポリオキシアルキレンジアミンのアミノ末端基を除去した後に残る２価基を表し、ここでＲ4 は、置換されていてもいなくてもよい（シクロ）アルキレン基、ポリオキシアルキレン基または２価の芳香族基を意味する）
から成るモノマー単位を含むところのコポリエーテルアミドにおいて、
a)10〜30重量％のエチレンオキシド基から作られていて、
b)30〜60重量％のポリアミドセグメントＡおよび、70〜40重量％の、上記式(III) に従うモノマー単位を有するポリアミドセグメントＢからなるものであって、ここで、Ｇは、600 〜6000の分子量および炭素対酸素の原子比2.0 〜4.3 を有するポリオキシアルキレン基を意味し、Ｒ4 は脂肪酸２量体のカルボキシル基の除去後に得られる２価基、または、600 〜6000の分子量および炭素対酸素の原子比2.0 〜4.3 を有するポリオキシアルキレン基ならびに置換されていてもいなくてもよい、２〜12個の炭素原子を有する（シクロ）アルキレン基、または２価の芳香族基を意味し、および
c)180 ℃〜260 ℃の範囲の融点を有する
ことを特徴とするコポリエーテルアミド。
【請求項２】
コポリエーテルアミドの融点が190 〜240 ℃の範囲にある請求項１記載のコポリエーテルアミド。
【請求項３】
エチレンオキドのパーセントが、15〜25重量％の範囲にある請求項１記載のコポリエーテルアミド。
【請求項４】
コポリエーテルアミドにおけるポリアミドセグメントＡの濃度が、40〜50重量％の範囲にある請求項１記載のコポリエーテルアミド。
【請求項５】
基Ｇの分子量が、1000〜4000の範囲にある請求項１記載のコポリエーテルアミド。
【請求項６】
ポリエーテルアミドセグメントＢが、次式(IV):
【化４】
1997118750.tif 000004
（上記式中、ｘは１〜100 の整数であり、ｙは１〜20の整数であり、Ｒ1 は水素原子または１〜４個の炭素原子を有するアルキル基を意味し、かつＲ2 は２〜４個の炭素原子を有するアルキレン基を意味する）
を有するジアミンから成る請求項１記載のコポリエーテルアミド。
【請求項７】
ポリエーテルアミドセグメントＢが、次式（Ｖ）:
【化５】
1997118750.tif 000005
（上記式中、ｎは25〜40である）
を有するジアミンおよび／または式（VI）：
【化６】
1997118750.tif 000006
（ここで、ｃは少なくとも１を表し、（ａ＋ｃ）は１以上６以下であり、かつｂは10以上90以下を表す）
を有するジアミンから成る請求項１記載のコポリエーテルアミド。
【請求項８】
式（Ｖ）においてｎ＝30〜40であり、式（VI）においてａ＋ｃが１〜６でかつｂが35〜45である請求項７記載のコポリエーテルアミド。
【請求項９】
式（Ｖ）においてｎ＝約33であり、式（VI）においてａ＋ｃ＝約5.5 およびｂ＝約37.5である請求項７記載のコポリエーテルアミド。
【請求項１０】
Ｒ4 が、テトラメチレン基またはシクロヘキシレン基の意味である請求項１記載のコポリエーテルアミド。
【請求項１１】
Ｒ4 が、36〜44個の炭素原子を有する脂肪族カルボン酸２量体から誘導されたものである請求項１記載のコポリエーテルアミド。
【請求項１２】
ポリアミドセグメントＡの50重量％以上が、カプロラクタムからできている請求項１記載のコポリエーテルアミド。
【請求項１３】
ポリアミドセグメントＡの50重量％以上が、ポリアミド-6,6からできている請求項１記載のコポリエーテルアミド。
【請求項１４】
ＤＩＮ  ５３４９５に従い水中で23℃にて測定した吸水率が、乾燥フィルムの重量に対して75重量％を超えない請求項１〜13のいずれか１項記載のコポリエーテルアミド。
【請求項１５】
ＤＩＮ  ５３４９５に従い水中で23℃にて測定した吸水率が、乾燥フィルムの重量に対して55重量％を超えない請求項１〜13のいずれか１項記載のコポリエーテルアミド。
【請求項１６】
請求項１〜15のいずれか１項記載のコポリエーテルアミドに基づく水性分散物。
【請求項１７】
請求項１〜15のいずれか１項記載のコポリエーテルアミドまたは請求項16記載の水性分散物から作られた、ＡＳＴＭ  Ｅ９６−６６に従い30℃、50％ＲＨで測定した水蒸気透過性少なくとも1000ｇ／ｍ2 日を有するところの非多孔性防水フィルム。
【請求項１８】
請求項17記載のフィルムを、雨衣またはテントの製造のために使用する方法。
【請求項１９】
請求項17記載のフィルムを、防水性で水蒸気透過性の椅子カバーの製造のために使用する方法。
【請求項２０】
請求項17記載のフィルムを、防水性で水蒸気透過性の靴の製造のために使用する方法。
【請求項２１】
請求項17記載のフィルムを、マットレスカバーの製造のために使用する方法。
【請求項２２】
請求項17記載のフィルムを、屋根ふき構造用のスレート下の製造のために使用する方法。
【請求項２３】
請求項17記載のフィルムを、医療目的の衣服の製造のために使用する方法。
【請求項２４】
請求項17記載のフィルムを、外傷用医療材料の製造のために使用する方法。
【手続補正２】
【補正対象書類名】明細書
【補正対象項目名】０００４
【補正方法】変更
【補正の内容】
【０００４】
【化９】
1997118750.tif 000007
（上記式中、Ｇは、先の式に従うポリアミドセグメントＡに含まれる１以上のラクタム単位を介してまたは介しないでジカルボン酸単位と結合した、ポリオキシアルキレンジアミンのアミノ末端基を除去した後に残る２価基を表し、ここでＲ4 は、置換されていてもいなくてもよい（シクロ）アルキレン基、ポリオキシアルキレン基または２価の芳香族基を意味する）
から成るモノマー単位を含むコポリエーテルアミドおよび、ＡＳＴＭ  Ｅ９６−６６に従い30℃、50％ＲＨで測定した水蒸気透過性少なくとも1000ｇ／ｍ2 日を有するところの、それから作られた非多孔性防水フィルムおよび、そのようなフィルムを、雨衣、テントにおいて、マットレスカバー、屋根ふき用のスレート下(underslating)として、防水靴において、防水の水蒸気透過性の椅子カバー、特に車のシートにおいて、医療目的の衣服において、および外傷用医療材料（包帯等）において使用することに関する。


【手続補正３】
【補正対象書類名】明細書
【補正対象項目名】００１９
【補正方法】変更
【補正の内容】
【００１９】
【化１２】
1997118750.tif 000008
（ここで、ｃは少なくとも１を表し、（ａ＋ｃ）は１以上６以下であり、かつｂは10以上90以下を表す）
を有するジアミンから得られるコポリエーテルアミドを用いて達成される。


【手続補正４】
【補正対象書類名】明細書
【補正対象項目名】００２４
【補正方法】変更
【補正の内容】
【００２４】
驚くべきことに、式（III)においてＲ4 が36個以上、好ましくは３６−４４個の炭素原子を有する脂肪酸２量体から誘導された基を意味するとき、吸水率は50重量％未満のレベルに減らされ得ることがわかった。この場合に、式  Ｒ4 （ＣＯＯＨ）2 のジカルボン酸が、44個の炭素原子を有する脂肪酸２量体であるところの組成が好ましい。